(57)【特許請求の範囲】
【請求項１】
時刻以外の複数の機能に対応する機能駆動信号を発生する機能信号発生手段と、
前記時刻以外の複数の機能に対応して設けられた第１表示手段と第２表示手段と、
該機能信号発生手段からの前記機能駆動信号に基づき駆動され前記第１表示手段と前記第２表示手段に駆動力を伝達する一つの駆動手段とを備え、
前記第１表示手段は前記一つの駆動手段からの駆動力に逐次連動して表示状態が変化し、
前記第２表示手段は前記一つの駆動手段からの駆動力に間欠的に連動して表示状態が変化する
ことを特徴とする多機能時計。
【請求項２】
前記機能信号発生手段は第１機能駆動手段と第２機能駆動手段とからなり、
前記第１機能駆動手段の機能駆動信号により前記第１表示手段を駆動し、
前記第２機能駆動手段の機能駆動信号により前記第２表示手段を駆動する
ことを特徴とする請求項１記載の多機能時計。
【請求項３】
前記第１機能駆動手段は、前記第２表示手段が駆動されない間欠動作の休止期間内でのみ前記第１表示手段を駆動する第１機能駆動信号を発生する
ことを特徴とする請求項２記載の多機能時計。
【請求項４】
前記第２機能駆動手段は前記第２表示手段を駆動するとともに、該第２表示手段に連動して駆動した前記第１表示手段を所定の表示状態に復帰させる
ことを特徴とする請求項２記載の多機能時計。
【請求項５】
前記第２表示手段はゼネバ機構で間欠駆動される
ことを特徴とする請求項１乃至請求項４のいずれかに記載の多機能時計。
【請求項６】
前記機能信号発生手段は、少なくとも一つの表示手段のみが正常に駆動される機能駆動信号を発生する
ことを特徴とする請求項１記載の多機能時計。
【請求項７】
前記機能信号発生手段は、正常に駆動した表示手段に連動して駆動した他の表示手段を所定の表示状態に復帰させる
ことを特徴とする請求項６記載の多機能時計。
【請求項８】
前記第１表示手段は時間経過表示手段であり、
前記第２表示手段はカレンダー表示手段である
ことを特徴とする請求項１乃至請求項７のいずれかに記載の多機能時計。
【請求項９】
前記時間経過表示手段は、クロノグラフ機能またはタイマー機能のいずれかの表示手段である
ことを特徴とする請求項８記載の多機能時計。
【請求項１０】
前記時間経過表示手段は、クロノグラフ機能及びタイマー機能の表示手段である
ことを特徴とする請求項８記載の多機能時計。
【請求項１１】
前記カレンダー表示手段は、日板または曜板または月齢板のいずれかである
ことを特徴とする請求項８記載の多機能時計。
【発明の詳細な説明】
【０００１】
【発明の属する技術分野】
本発明は複数の機能表示手段を有する電子機器に関するものである。さらに詳しくは複数のモータ等の駆動手段と指針で時刻を表示する等の複数の機能表示手段を有する電子機器に関するものである。
【０００２】
【従来の技術】
従来より針で時刻を表示する指針表示式電子時計において、複数のモータを使用し、時刻表示以外の機能をも合わせ持つ多機能時計は、数多く商品化され、腕時計の１つのジャンルとして、無くてはならない存在にまでなっている。しかし腕時計は、携帯性にすぐれ、しかも小型軽量で、安価でなくてはならないと云う使命もあり、機能表示ごとにモーターを用意して多機能化を計ることには限界があった。
【０００３】
【発明が解決しようとする課題】
機能の一つである日付を表示する日板を必要な時に駆動する方法として、特公昭５１−４１０７１号公報に見られる構造が知られている。
特公昭５１−４１０７１号公報の構造によれば、日板等の１日に１回だけ駆動する機能を有効に達成させる方法として、常時回転している時分輪列等の基準駆動から、ゼネバ方式により日送りの時だけ日板を駆動する方法が開示されているが、従来の時計に用いられている通常の指針である時、分、秒針を駆動するモーターで連動して日板を駆動する方法では、１日分の秒を駆動するため日板を１日送る為には高速でモーターを駆動しても膨大な時間が必要となり、時計の仕様として適さない事になってしまう。そのため日板をモータから切り離して、他の強制駆動方法で修正する早修正機能を附加して対応している。
【０００４】
又、日板を単独モーターで駆動する方法が多機能化を推進する端的な方法であるが、日板専用のモーターや輪列が必要となり、更に回路が複雑化し、部品点数も多くなってしまい、時計として限られたスペースに構成することが難しくなり、時計が大きくなったり、厚くなってしまうという欠点があった。
【０００５】
本発明の目的は複数の機能と、該機能を表示する複数の表示手段を有する多機能時計において、少ないモーターで多くの機能を表示する構造を可能にし、時計の小型化、薄型化を図ることである。
【０００６】
【課題を解決するための手段】
上記目的を達成するため本発明の構成は、時刻以外の複数の機能に対応する機能駆動信号を発生する機能信号発生手段と、前記時刻以外の複数の機能に対応して設けられた第１表示手段と第２表示手段と、該機能信号発生手段からの前記機能駆動信号に基づき駆動され前記第１表示手段と前記第２表示手段に駆動力を伝達する一つの駆動手段とを備え、前記第１表示手段は前記一つの駆動手段からの駆動力に逐次連動して表示状態が変化し、前記第２表示手段は前記一つの駆動手段からの駆動力に間欠的に連動して表示状態が変化することを特徴とする。
【０００７】
【発明の実施の形態】
以下本発明の実施の形態を図面に基づいて詳述する。
図２は本発明に基づく時計の外観を示す平面図である。電子機器である指針表示式電子時計の中心に時刻表示を行なう時針１１、分針１２、が配置されており、同軸に独立したモータで駆動される秒針１３が配置されている。さらに時針１１に連動する２４時間針１４が時計の９時方向に配置されている。
【０００８】
また時針１１、分針１２や、秒針１３とは別のモータで駆動される複数の機能表示手段として、駆動手段からの駆動力に逐次（連続的に）連動して表示状態が変化する第１表示手段であるクロノ針１０は、時計の１２時方向に配置されており、そのクロノ針１０と同じ駆動手段で駆動され、駆動手段からの駆動力に間欠的に連動して表示状態が変化する第２表示手段である日付けを表示する日板１は、文字板２１に開口された日窓２１ａにより一部を透過することで日付けを表示している。１５はモードを表示するモード針であり、外部操作部材であるリューズ１６により切り替えられたモードを表示している。１７は外部操作部材であるプッシュボタンである。
【０００９】
図３は本発明のクロノ輪列を示す部分断面図である。クロノモータ２２は、ローター６、ステータ７、コイル８により構成され、一つの駆動手段である。ローター６から第１中間車５を介し駆動されるクロノグラフ車９は先端にクロノ針１０が取り付けられて第１表示手段であるクロノ時刻や、タイマー時刻を表示している。またクロノグラフ車９からさらに第２中間車４を介して日回シ伝エ車３と日回シ車２が連動し、第２表示手段である日板１を駆動し日付けを表示している。ローター６と第１中間車５とクロノグラフ車９と第２中間車４は地板１８と輪列受１９により軸支され、地板１８と図示していないが裏板２７と日板１を押さえる日板押エ２０により、日回シ伝エ車３と日回シ車２とが軸支されている。２１は文字板であり日付けを表示する日窓２１ａや各指針を貫通する窓が開口されている。又、２９は文字板受板であり日板１が文字板２１に密着しない為のスペーサーとして載置されている。
【００１０】
図４は本発明の文字板側より見た時計ムーブメントの平面透視図である。各機能を駆動する複数のモータと、複数の輪列群がそれぞれ平面上に配置されている。２２はクロノモータであり、そのクロノモータ２２からクロノ輪列３１を介して駆動される日板１は回転板状であり、表面に日付を印刷等により表記している。その日板１の内歯１ａが裏板２７の外周でガイドされて回動し、文字板の開口部である日窓２１ａにより日付の一部を表記して日付けを表示している。２３は時分モータであり、時分輪列３３と２４時間車３０を介し時分と２４時間を表示している。２４は秒モータ、３２は秒輪列であり、時分輪列３３とは別個に駆動されている。２９は文字板受板でありリング状に日板１の外周に載置されている。又詳記していないが水晶振動子２６とＩＣ２８等の回路部品により構成される時計回路３４（図３参照）は、各モータへの駆動信号等を発信している。２５は巻真であり、外部操作により操作されるリューズの動作を時計ムーブメントに伝達している。
【００１１】
図１は本発明の日板作動状態を示す部分平面図である。
ローター６、ステータ７、コイル８により構成されるクロノモータ２２は、第１中間車５を介してクロノグラフ車９を回転し、第１表示手段であるクロノ針１０が回転してクロノ経過時間を表示する。この時クロノグラフ車９からさらに第２中間車４を介して日回シ伝エ車３へ駆動力が伝達されている。その日回シ伝エ車３には、日回シ車２と噛み合って、日回シ車２を回転駆動する爪部３ａが１箇所構成されており、その爪部３ａ以外の円弧状の外周は日回シ車２の歯と歯に入り込んで日回シ車２の回転をロックしているストッパー部３ｂとなっており、日回シ車２と日回シ伝エ車３によりゼネバ機構を構成し日板１を間欠駆動している。
【００１２】
クロノグラフ車９はクロノモータ２２の６０ステップで１回転する様に歯数が設定されており、クロノグラフ分表示や２０分の１秒表示、タイマー分表示等の機能針として時計回路３４からの駆動信号により回動して各機能表示を行なっている。又、クロノグラフ車９から第２中間車４を介して連動される日回シ伝エ車３はクロノグラフ車９が４回転すると１回転するように歯数が設定されており、クロノグラフ車９が１回転する間に爪部３ａはゾーンＡの範囲を移動し、同様に２回転目でゾーンＢを移動し、ゾーンＣ、ゾーンＤはそれぞれ３回転目、４回転目で移動するよう設定されている。
【００１３】
次に本発明に基づく実施の形態のシステム構成を図面に基づき説明する。図５は、本発明の基づく実施例のシステム構成の概略図である。なお、図面と説明の簡略化を図るため、本発明に関係の深い第１表示手段であるところのクロノ針１０と第２表示手段であるところの日板１の駆動系にのみ限定し、他の駆動系は省略する。
【００１４】
５０はモードスイッチでありモードスイッチの接続状態を示すモードスイッチデータＳ１を出力する。５１はモード信号発生手段であり、モードスイッチ５０の出力したモードスイッチデータＳ１を受け、多機能時計の現在のモードを判別し、モードデータＳ４を出力する。５２はモード内状態発生手段であり、プッシュボタン１７の接続状態とモードデータＳ４よりモード内における各状態を判別し、モード内状態データＳ５を出力する。モードデータＳ４とモード内状態データＳ５は、以下に示す各種制御に使用される。
【００１５】
５３は発振手段であり、計時のための基準信号Ｓ２を出力する。５４は分周手段であり、基準信号Ｓ２を分周し分周信号Ｓ３を出力する。５５はクロノ計時手段、５６はタイマー計時手段、５７は時計計時手段であり、分周信号Ｓ３を受け、各計時を行う。５８はカレンダー手段であり、時計計時手段５７がオーバーフローした時の日更新信号Ｓ１６を受け、カレンダーの更新を行う。
【００１６】
５９は第１機能駆動手段であるクロノ針駆動手段であり、モードデータＳ４、モード内状態データＳ５、クロノ分データＳ６、タイマー分データＳ７を受け、第１表示手段であるクロノ針１０を連続的に駆動する為の第１機能駆動信号であるクロノ針駆動用信号Ｓ１０をクロノモータ２２に出力する。６０は第２機能駆動手段である日板駆動手段であり、日データＳ８を受け、第２表示手段である日板を駆動するための第２機能駆動信号である日板駆動用信号Ｓ９をクロノモータ２２に出力する。
【００１７】
次に図１と図５により本発明の作用を説明する。図１の状態は、第１表示手段であるクロノ針１０が所定の表示状態である０位置を指示している。第１機能であるクロノモードによりクロノ分として駆動が始まった状態では６０分の計測により、クロノグラフ車９が１周して日回シ伝エ車３と日回シ車２からなるゼネバ機構の日回シ伝エ車３の爪部３ａがゾーンＡからゾーンＢに移動する。しかし日回シ伝エ車３の爪部３ａは日回シ車２を回転駆動するゾーンＤにまで達しておらず、日回シ車２の回転をロックしているストッパー部３ｂが噛み合っている状態のままであり、日回シ車２は回転せず、従って第２表示手段である日板１も回転しない。
【００１８】
クロノ針１０は６０分のクロノ分表示が終了すると逆転駆動で所定の表示状態である０位置まで戻り、日回シ伝エ車３の爪部３ａはゾーンＡに戻って停止している。つまりクロノグラフ機能等の第１機能駆動手段は、日板１等の第２表示手段が駆動しない間欠動作の休止期間内でのみ第１表示手段を駆動する第１機能駆動信号を発生し、第１機能終了時に第１表示手段を所定の表示状態に復帰させている。
【００１９】
同様にモードがタイマーモードの場合、タイマー分の設定位置までクロノグラフ車９が回転するが５９分計のタイマーであり１周しても日回シ伝エ車３の爪部３ａがゾーンＡからは出ない状態であり、タイマー計測により逆転駆動で所定の表示状態である０位置のタイムアップ状態まで戻り、日回シ伝エ車３の爪部３ａはゾーンＡの開始位置に戻って停止している。
【００２０】
次に時刻が午前０時を過ぎて日付けが変わる時には、第１表示手段であるクロノ針１０が駆動を開始し、クロノグラフ車９が４周して日回シ伝エ車３の爪部３ａがゾーンＡからゾーンＡまで１周する。その時日回シ伝エ車３の爪部３ａは日回シ車２を回転駆動するゾーンＤを通過する。日回シ車２の回転をロックしているストッパー部３ｂが解除され、日回シ伝エ車３の爪部３ａにより日回シ車２を２歯送って回転させ日回シ車２の回転をロックしているストッパー部３ｂが噛み合う状態で停止する。従って第２表示手段である日板１も日回シ車２により回転し、２歯送られることになり日付けに切り替えを行ない、第１表示手段であるクロノ針１０はクロノグラフ車９が４周して所定の表示状態（元の０位置）に復帰する。
【００２１】
また、小の月の月末の様に３１日を通過して２日分切り替える時は、クロノグラフ車９が８周して日回シ伝エ車３の爪部３ａが２回転することになり、日付けの修正時等に日付けを戻す方向に駆動する場合は、クロノグラフ車９が逆転方向に４周して日回シ伝エ車３の爪部３ａがゾーンＤからゾーンＣ、ゾーンＢを通過してゾーンＡに移動し日回シ車２を逆転駆動して日板１を逆転駆動し日付けを１日戻す機能を達成する。
【００２２】
本実施の形態のシステム系の動作について、まずクロノ計時を表示する場合について説明する。簡単のため、クロノはリセット状態にありクロノ針１０は０位置にあると仮定する。まず、モードスイッチ５０をクロノに設定することによりモード信号発生手段５１は「クロノモード」を示すモードデータＳ４を出力する。この状態で、クロノスタート用のプッシュボタン１７を押すことにより、「クロノラン」のモード内状態データＳ５が出力される。このモードデータＳ４とモード内状態データＳ５を受け、クロノ計時手段５５はクロノ計時を開始する。そして、クロノ分への桁上げがある毎にクロノ分データＳ６が更新される。
【００２３】
このクロノ分データＳ６を受け、クロノ針駆動手段５９は必要なモータ駆動パルス数を計算し、クロノ針駆動用信号Ｓ１０を出力する。クロノラン中は、毎分クロノ針１０を１ステップ正転方向へ運針させればよいので、クロノ針駆動用信号Ｓ１０として１発のモータ駆動パルスが分へのけた上げ毎に出力される。クロノ計時は、日板が駆動しない間欠動作の休止期間でのみ許可される。
【００２４】
計時終了後のリセット動作の場合、リセット用のプッシュボタン１７を押すことにより、モード内状態発生手段５２は「リセット」というデータのモード内状態データを出力する。これを受け、クロノ計時手段５５は計時を停止するとともに、計測値を０にリセットする。これにより、クロノ分データＳ６は０となり、クロノ針１０を０位置に戻す必要がある。クロノ計時は、日板が駆動しない間欠動作の休止期間でのみ許可されるので、日板１とクロノ針１０との関係を崩さずに０位置に戻すには、逆転でクロノ計時した分だけ戻る必要がある。たとえば、３３分計時した時点でリセットされた場合、３３発の逆転駆動パルスがクロノ針駆動信号Ｓ１０として出力される。結果、クロノ針１０は逆転で０位置に戻る。
【００２５】
次に、日送り時のシステムの動作について説明する。カレンダー手段より更新すべき日データＳ８を受けた日板駆動手段６０は、日データＳ８をもとに日板を駆動するのに必要なクロノモータ２２の駆動パルス発数を計算する。通常は１日分送ればよいが、クロノ針１０を所定の表示状態に復帰させる、つまりは、日送り前のクロノ計時表示にする必要があり、そこで、駆動パルス発数は６０ステップ４回転分の２４０となる。それで、日板用駆動信号Ｓ９として２４０発の駆動パルスが１まとめに出力される。小の月の月末の様に３１日を通過して２日分切り替える時は、駆動パルス発数は４８０となる。
【００２６】
クロノが使用されていないリセット状態で日送りが行われると、クロノ針駆動用信号Ｓ１０として２４０発の駆動パルスが出力される。クロノ針が４回転した後日板１は１日分進むが、クロノ針１０はちょうど４回転し、日送り前と同じ０位置に停止する。
【００２７】
クロノラン中に日板送りのタイミングになる場合は、クロノ針駆動手段５９からクロノ針駆動用信号Ｓ１０が毎分出力される合間に日板駆動用信号Ｓ９が出力される。この時、日板１を駆動するためにクロノ針１０は４回転するが、ちょうど４回転分の２４０発の駆動パルスが出力されるので、日送りが終了した後もクロノ計時を示すクロノ針１０の位置は日送り前と変わらず、クロノ計時の表示が狂うことはない。
【００２８】
タイマー計時の場合も、クロノ計時の場合と同様である。ただし、その計時の性格上、初期設定分からのスタートとなり、また、運針方向はクロノの反対方向となる。
【００２９】
本実施例では日回シ伝エ車３の爪部３ａの位置を４ッのゾーンと設定しているが、クロノグラフ車９が作動している範囲を、日板を送らない範囲と設定すれば同様の効果が得られることになるので、ゾーンは２分割以上ならばすべて設定可能である。
【００３０】
又、本実施例では複数の機能表示手段のうち、第２表示手段にゼネバ機構で間欠的に連動して表示状態が変化する構成を説明したが、第２表示手段に第１表示手段と同様の駆動手段からの駆動力に逐次（連続的に）連動して表示状態が変化する構成をとっても、複数の機能表示は達成可能である。つまり第１表示手段であるクロノ針１０が駆動を開始し、クロノグラフ機能動作中に第２表示手段である日板１が駆動を開始しても、クロノグラフ機能終了後にクロノ針１０が所定の表示状態に復帰すれば、第２表示手段である日板１の表示位置も所定の日付けに復帰し機能を達成する構成となる。
【００３１】
又、本実施例では複数の機能表示手段のうち、第２表示手段にゼネバ機構で間欠的に連動して表示状態が変化する機能を日付け表示機能としたが、曜日を表示する曜板や月齢を表示する月齢板といった回転板による表示機能は同様に構成することは可能であり、駆動手段からの駆動力に逐次（連続的に）連動して表示状態が変化する構成をとる第１表示手段に、本実施例のクロノグラフ機能のほかに、タイマー機能のような指針による様々な表示機能を達成することが可能である。
【００３２】
【発明の効果】
以上の説明で明らかなように、本発明の構成である複数の機能に対応する機能駆動信号を発生する機能信号発生手段と、前記複数の機能に対応して設けられた複数の機能表示手段と、前記機能信号発生手段からの前記機能駆動信号に基づき前記複数の機能表示手段へ同時に駆動力を伝達する一つの駆動手段とから構成された機能表示装置の、複数の機能表示手段は、駆動手段からの駆動力に逐次（連続的に）連動して表示状態が変化する第１表示手段と、前記駆動手段からの駆動力に間欠的に連動して表示状態が変化するゼネバ機構の第２表示手段とからなり、その機能信号発生手段は、第１表示手段のみが正常に駆動する機能駆動信号を発生する第１機能駆動手段と、第２表示手段のみが正常に駆動する機能駆動信号を発生する第２機能駆動手段とからなり、さらにその第１機能駆動手段は、第２表示手段が駆動しない間欠動作の休止期間内でのみ第１表示手段を駆動する第１機能駆動信号を発生することと、第２機能駆動手段は第２表示手段を駆動するとともに、該第２表示手段に連動して駆動した第１表示手段を所定の表示状態に復帰させることを特徴とする機能表示装置により、日付けを表示する日板をクロノグラフ等の機能モーターで駆動することで、部品点数も少なく、少ないモータで多くの表示形態を達成する事を可能にし、時計として薄型化、小型化が可能な多機能時計を達成できるという効果がある。
【図面の簡単な説明】
【図１】本発明の日板作動状態を示す部分平面図である。
【図２】本発明の時計の外観を示す平面図である。
【図３】本発明のクロノ輪列を示す部分断面図である。
【図４】本発明の文字板側より見た時計ムーブメントの平面透視図である。
【図５】本発明に基づく実施例のシステム構成の概略図である。
【符号の説明】
１  日板
１ａ  内歯
２  日回シ車
３  日回シ伝エ車
３ａ  爪部
３ｂ  ストッパー部
９  クロノグラフ車
１０  クロノ針
２２  クロノモータ
３１  クロノ輪列
５０  モードスイッチ
５３  発振手段
５４  分周手段
５５  クロノ計時手段
５８  カレンダー計時手段
５９  目標針位置設定手段
６０  日板駆動手段
Ｓ６  クロノ分データ
Ｓ７  タイマー分データ
Ｓ８  日データ
Ｓ９  日板駆動用信号
Ｓ１０  クロノ針駆動用信号
【図１】
0003732281.tif 000002
【図２】
0003732281.tif 000003
【図３】
0003732281.tif 000004
【図４】
0003732281.tif 000005
【図５】
0003732281.tif 000006